(57)【要約】【課題】収容挿入される相手側接続対象物が装着面近傍以外に接続端子を有していても安定して接続できる構造のソケットコネクタを提供すること。【解決手段】このソケットコネクタ１００の場合、各コンタクト１０及び各係止部材２０の形状、並びに配置構造を工夫することにより、一方の相手側接続対象物５０が装着面近傍以外に背高方向に接続端子（第２の電極５３ａ及び第３の電極５３ｂを示す）を有していても接続可能となっており、相手側接続対象物５０を収容部３１へ一方向から収容挿入したとき、各コンタクト１０のバネ部の反発力を受けて各被係止部５２に対して各係止部材２０における係止接触部がそれぞれ係合し、このときに各係止接触部と各第２の電極５３ａとがそれぞれ当接して導通接続され、同時に各係止部材２０における突出接触部と各被係止部５２における各第３の電極５３ａとがそれぞれ接触して導通接続される。【選択図】図１
2007194120.tif 000002
【特許請求の範囲】
【請求項１】
導電性の所定数のコンタクト及び係止部材をハウジングに保持固定して成ると共に、該ハウジングが相手側接続対象物の一方のものを一方向から収容挿入するための収容部を有し、且つ該一方向とは反対側の他方向で相手側接続対象物の他方のものを接続可能な構造を持つことにより、相手側接続対象物間の接続に供されるソケットコネクタにおいて、前記所定数のコンタクトは、前記相手側接続対象物の一方のものに装着面近傍で接触される接触部，該接触部より延在するバネ部，該バネ部より延在して前記ハウジングに固定される固定部，該固定部より延在して前記相手側接続対象物の他方のものに接続される端子部を一体的に有し、前記所定数の係止部材は、前記相手側接続対象物の一方のものに装着面から隔たった側面で係止接触される係止接触部，該係止接触部より延在して前記ハウジングに固定される固定部，該固定部より延在して前記相手側接続対象物の他方のものに接続される端子部を一体的に有し、前記相手側接続対象物の一方のものは、前記所定数のコンタクトにおける前記接触部にそれぞれ接続される所定数の第１の電極と前記所定数の係止部材における前記係止接触部にそれぞれ係止接触される所定数の被係止部とを有し、前記所定数の被係止部は、前記一方向と交差する方向の平面に形成された第２の電極を有し、更に、前記相手側接続対象物の一方のものを前記収容部へ前記一方向から収容挿入したとき、前記所定数のコンタクトにおける前記バネ部の反発力を受けて前記所定数の被係止部に対して前記所定数の係止部材における前記係止接触部がそれぞれ係合すると共に、該所定数の係止接触部と前記所定数の第２の電極とがそれぞれ当接して導通接続されることを特徴とするソケットコネクタ。
【請求項２】
請求項１記載のソケットコネクタにおいて、前記所定数の係止部材は、前記係止接触部の周囲に前記一方向へ一体的に突出して前記相手側接続対象物の一方のものに装着面から隔たった側面で接触する突出接触部を有し、前記所定数の被係止部は、前記一方向と平行する方向の平面に形成された第３の電極を有し、前記所定数の被係止部に対して前記所定数の係止部材における前記係止接触部がそれぞれ係合したときに前記所定数の係止部材における前記突出接触部と前記所定数の被係止部における前記第３の電極とがそれぞれ接触して導通接続されることを特徴とするソケットコネクタ。
【請求項３】
請求項１又は２記載のソケットコネクタにおいて、前記ハウジングは、前記所定数のコンタクトにおける前記固定部と前記所定数の係止部材における前記固定部とが固定される枠状のインシュレータの外周囲を該所定数のコンタクトとは隔てられるように枠状のシェルで覆った構造であることを特徴とするソケットコネクタ。
【発明の詳細な説明】
【技術分野】
【０００１】
本発明は、主として半導体素子モジュール，パッケージ等の一方の相手側接続対象物、並びにフレキシブルなタイプを含むプリント配線基板等の他方の相手側接続対象物を接続対象とする相手側接続対象物間の接続に供されるソケットコネクタに関する。
【背景技術】
【０００２】
従来、この種のソケットコネクタとしては、電子部品の公差による寸法の違いが生じてもソケットとプラグが確実に係止し、安定してコンタクトと電極との接触を維持できる構造のモジュールコネクタ（特許文献１参照）や、限られた大きさの絶縁ケースに固定される接地コンタクトのバネスパンを十分確保できる長さとした構造のモジュール用ソケット（特許文献２参照）等が挙げられる。
【０００３】
【特許文献１】特開２００３−９２１６８号公報（要約）
【特許文献２】特開２００４−２４１２２５号公報（要約）
【発明の開示】
【発明が解決しようとする課題】
【０００４】
上述した特許文献１や特許文献２に係るソケットコネクタの場合、半導体素子モジュール，パッケージ等の一方の相手側接続対象物を一方向から収容部へ収容挿入できると共に、一方向とは反対側の他方向ではプリント配線基板等の相手側接続対象物の他方のものを接続可能な構造となっているが、一方の相手側接続対象物を収容部へ収容挿入したときの各コンタクトの接触に際しての反発力を一方の相手側接続対象物の外壁（通常はシェルの外壁）で受けるだけの構造であるため、一方の相手側接続対象物における装着面（下面）近傍に配置された端子以外の端子を持つものには接続を行うことができないという構造上の不便さが問題になっている。
【０００５】
即ち、昨今では特に半導体装置の多機能化、高性能化が顕著であり、例えばＣＭＯＳパッケージの場合のように、一方の相手側接続対象物においても装着面近傍以外の背高方向の箇所にも接続端子が設けられる構造のものが開発されているため、こうした製品を接続対象とできない従来構造のものについては基本構造上の改善が要求されている。
【０００６】
本発明は、このような問題点を解決すべくなされたもので、その技術的課題は、収容挿入される相手側接続対象物が装着面近傍以外に接続端子を有していても安定して接続できる構造のソケットコネクタを提供することにある。
【課題を解決するための手段】
【０００７】
本発明によれば、導電性の所定数のコンタクト及び係止部材をハウジングに保持固定して成ると共に、該ハウジングが相手側接続対象物の一方のものを一方向から収容挿入するための収容部を有し、且つ該一方向とは反対側の他方向で相手側接続対象物の他方のものを接続可能な構造を持つことにより、相手側接続対象物間の接続に供されるソケットコネクタにおいて、所定数のコンタクトは、相手側接続対象物の一方のものに装着面近傍で接触される接触部，該接触部より延在するバネ部，該バネ部より延在してハウジングに固定される固定部，該固定部より延在して相手側接続対象物の他方のものに接続される端子部を一体的に有し、所定数の係止部材は、相手側接続対象物の一方のものに装着面から隔たった側面で係止接触される係止接触部，該係止接触部より延在してハウジングに固定される固定部，該固定部より延在して相手側接続対象物の他方のものに接続される端子部を一体的に有し、相手側接続対象物の一方のものは、所定数のコンタクトにおける接触部にそれぞれ接続される所定数の第１の電極と所定数の係止部材における係止接触部にそれぞれ係止接触される所定数の被係止部とを有し、所定数の被係止部は、一方向と交差する方向の平面に形成された第２の電極を有し、更に、相手側接続対象物の一方のものを収容部へ一方向から収容挿入したとき、所定数のコンタクトにおけるバネ部の反発力を受けて所定数の被係止部に対して所定数の係止部材における係止接触部がそれぞれ係合すると共に、該所定数の係止接触部と所定数の第２の電極とがそれぞれ当接して導通接続されるソケットコネクタが得られる。
【０００８】
又、本発明によれば、上記ソケットコネクタにおいて、所定数の係止部材は、係止接触部の周囲に一方向へ一体的に突出して相手側接続対象物の一方のものに装着面から隔たった側面で接触する突出接触部を有し、所定数の被係止部は、一方向と平行する方向の平面に形成された第３の電極を有し、所定数の被係止部に対して所定数の係止部材における係止接触部がそれぞれ係合したときに所定数の係止部材における突出接触部と所定数の被係止部における第３の電極とがそれぞれ接触して導通接続されるソケットコネクタが得られる。
【０００９】
更に、本発明によれば、上記何れかのソケットコネクタにおいて、ハウジングは、所定数のコンタクトにおける固定部と所定数の係止部材における固定部とが固定される枠状のインシュレータの外周囲を該所定数のコンタクトとは隔てられるように枠状のシェルで覆った構造であるソケットコネクタが得られる。
【発明の効果】
【００１０】
本発明のソケットコネクタの場合、各コンタクト及び各係止部材の形状、並びに配置構造を工夫しているため、例えばＣＭＯＳパッケージのように収容挿入される相手側接続対象物が装着面近傍以外に接続端子を有していても安定して接続を行うことができる。
【発明を実施するための最良の形態】
【００１１】
本発明の最良の形態に係るソケットコネクタは、導電性の所定数のコンタクト及び係止部材をハウジングに保持固定して成ると共に、ハウジングが相手側接続対象物の一方のものを一方向から収容挿入するための収容部を有し、且つ一方向とは反対側の他方向で相手側接続対象物の他方のものを接続可能な構造を持つことにより、相手側接続対象物間の接続に供される基本構造のものにおいて、各コンタクトについては、相手側接続対象物の一方のものに装着面近傍で接触される接触部，接触部より延在するバネ部，バネ部より延在してハウジングに固定される固定部，固定部より延在して相手側接続対象物の他方のものに接続される端子部を一体的に有し、各係止部材については、相手側接続対象物の一方のものに装着面から隔たった側面で係止接触される係止接触部，係止接触部より延在してハウジングに固定される固定部，固定部より延在して相手側接続対象物の他方のものに接続される端子部を一体的に有し、相手側接続対象物の一方のものについては、各コンタクトにおける接触部にそれぞれ接続される所定数の第１の電極と所定数の係止部材における係止接触部にそれぞれ係止される所定数の被係止部とを有し、各被係止部については、一方向と交差する方向の平面に形成された第２の電極を有するものである。
【００１２】
こうした諸条件を持つことにより、相手側接続対象物の一方のものを収容部へ一方向から収容挿入したとき、各コンタクトにおけるバネ部の反発力を受けて各被係止部に対して各係止部材における係止接触部がそれぞれ係合すると共に、各係止接触部と各第２の電極とがそれぞれ当接して導通接続される構造となる。
【００１３】
又、上述したソケットコネクタにおいて、各係止部材については、係止接触部の（両側）周囲に一方向へ一体的に突出して相手側接続対象物の一方のものに装着面から隔たった側面で接触する突出接触部を有し、各被係止部については、一方向と平行する方向の平面に形成された第３の電極を有するものとすることにより、各被係止部に対して各係止部材における係止接触部がそれぞれ係合したときに各係止部材における突出接触部と各被係止部における第３の電極とがそれぞれ接触して導通接続される構造となる。
【００１４】
何れにしても、ハウジングについては、各コンタクトにおける固定部と各係止部材における固定部とが固定される枠状のインシュレータの外周囲を各コンタクトとは隔てられるように枠状のシェルで覆った構造のものを採用することが好ましい。
【００１５】
以下は、具体的な実施例を挙げて、本発明のソケットコネクタについて、図面を参照して詳細に説明する。
【実施例】
【００１６】
図１は、本発明の実施例に係るソケットコネクタ１００の外観構成を相手側接続対象物５０，６０との間で接続する前の状態として示した斜視図である。図２は、このソケットコネクタ１００の収容部３１内に収容される相手側接続対象物５０の一方のものの細部構成を示したもので、同図（ａ）は正面方向からの側面を示す正面図に関するもの，同図（ｂ）は裏面方向からの平面図に関するもの，同図（ｃ）は他方向からの側面を示す側面図に関するものである。図３は、このソケットコネクタ１００のコンタクト１０を含む細部構造を相手側接続対象物５０，６０との間で接続した後の状態として示した部分拡大断面図である。図４は、このソケットコネクタ１００の係止部材２０を含む細部構造を相手側接続対象物５０，６０との間で接続した後の状態として示したもので、同図（ａ）は部分拡大断面図に関するもの，同図（ｂ）は係止部材２０の外観構成を一部破断して示した斜視図に関するものである。
【００１７】
各図を参照すれば、このソケットコネクタ１００は、導電性の所定数のコンタクト１０及び係止部材２０をハウジングに保持固定して成ると共に、ハウジングがＣＭＯＳパッケージ（その他の半導体素子モジュールやパッケージであっても良い）とする一方の相手側接続対象物５０を一方向から収容挿入するための収容部３１を有し、且つ一方向とは反対側の他方向でＦＰＣ（Ｆｌｅｘｉｂｌｅ  Ｐｒｉｎｔｅｄ  Ｃｉｒｃｕｔ）［その他のＰＣＢ（Ｐｒｉｎｔｅｄ  Ｃｉｒｃｕｔ  Ｂｏａｒｄ）等のプリント配線基板であっても良い］とする他方の相手側接続対象物６０を接続可能であり、相手側接続対象物５０，６０間の接続に供される基本構造を持っている。但し、ハウジングについては、各コンタクト１０における固定部１３と各係止部材２０における固定部２３とが固定される枠状のインシュレータ３０の外周囲を各コンタクト１０とは隔てられるように枠状のシェル４０で覆った構造となっている。
【００１８】
このソケットコネクタ１００の場合、各コンタクト１０については、図１及び図３を参照すれば、一方の相手側接続対象物５０に装着面近傍で接触されるように収容部３１の底面近傍において内側へ延びた接触部１１，この接触部１１より屈曲してインシュレータ３０側へ延在するバネ部１２，このバネ部１２より折り返されるように屈曲延在してハウジングのインシュレータ３０に固定される固定部１３，この固定部１３より屈曲してシェル４０の外側へ延在し、他方の相手側接続対象物６０に接続される端子部１４を一体的に有している。
【００１９】
又、各係止部材２０については、図１及び図４（ａ），（ｂ）を参照すれば、一方の相手側接続対象物５０に装着面から隔たった背高方向の側面で係止接触される係止接触部２１，この係止接触部２１の両側周囲に一方向へ一体的に突出して一方の相手側接続対象物５０の装着面から隔たった側面で接触する突出接触部２２，係止接触部２１より折り返されるように屈曲延在してハウジングのインシュレータ３０に固定される固定部２３，この固定部２３より屈曲してシェル４０の外側へ延在し、他方の相手側接続対象物６０に接続される端子部２４を一体的に有している。
【００２０】
更に、一方の相手側接続対象物５０については、図１及び図２を参照すれば、各コンタクト１０における接触部１１にそれぞれ接続される所定数の第１の電極５１と各係止部材２０における係止接触部２１にそれぞれ係止される所定数の被係止部５２とを有している。
【００２１】
加えて、各被係止部５２については、図１及び図４（ａ）を参照すれば、一方向と交差する方向の平面（装着面と平行する）に形成された第２の電極５３ａを有すると共に、一方向と平行する方向の平面（ハウジングの側面と平行する）に形成された第３の電極５３ｂを有している。即ち、第２の電極５３ａ及び第３の電極５３ｂは、各被係止部５２を形成した凹凸部分で隣接する平面に跨がって繋がるように一体化されて設けられた同極性の接続端子となっている。
【００２２】
因みに、他方の相手側接続対象物６０については、各コンタクト１０における端子部１４に接続される狭ピッチで並設された端子接続パターン６２を有する他、各係止部材２０における端子部２４に接続される広ピッチで並設された端子接続パターン６１を有している。尚、一方の相手側接続対象物５０がＣＭＯＳパッケージである場合、端子接続パターン６１における内側に配置されたものはオートフォーカス端子用となり、外側に配置されたものはシールド端子用となる。
【００２３】
このようなソケットコネクタ１００の場合、各コンタクト１０及び各係止部材２０の形状、並びに配置構造を工夫しているため、一方の相手側接続対象物５０が装着面近傍以外に背高方向の箇所に接続端子（第２の電極５３ａ及び第３の電極５３ｂを示す）を有する構造のものであっても接続可能となっている。具体的には、一方の相手側接続対象物５０を収容部３１へ一方向から収容挿入したとき、各コンタクト１０におけるバネ部１２の反発力を受けて各被係止部５２に対して各係止部材２０における係止接触部２１がそれぞれ係合し、このときに各係止接触部２１と各第２の電極５３ａとがそれぞれ当接して導通接続され、同時に各係止部材２０における突出接触部２２と各被係止部５２における各第３の電極５３ａとがそれぞれ接触して導通接続される。
【００２４】
各被係止部５２と各係止部材２０との係合により、一方の相手側接続対象物５０の嵌合ロックと電気接続とを同一箇所で行うことができる。
【００２５】
尚、上述した実施例で説明したソケットコネクタ１００では、一方の相手側接続対象物５０がＣＭＯＳパッケージであり、それに対応する他方の相手側接続対象物６０がＦＰＣである場合を例示したが、相手側接続対象物５０，６０はその他の半導体素子モジュール，パッケージやプリント配線基板に代えても良い。但し、その場合には各コンタクト１０及び各係止部材２０の数、これに対応する一方の相手側接続対象物５０における第１の電極５１の数、並びに他方の相手側接続対象物６０における端子接続パターン６１，６２の数が設計に応じて任意に変更されるものである。
【図面の簡単な説明】
【００２６】
【図１】本発明の実施例に係るソケットコネクタの外観構成を相手側接続対象物との間で接続する前の状態として示した斜視図である。
【図２】図１に示すソケットコネクタの収容部内に収容される相手側接続対象物の一方のものの細部構成を示したもので、（ａ）は正面方向からの側面を示す正面図に関するもの，（ｂ）は裏面方向からの平面図に関するもの，（ｃ）は他方向からの側面を示す側面図に関するものである。
【図３】図１に示すソケットコネクタのコンタクトを含む細部構造を相手側接続対象物との間で接続した後の状態として示した部分拡大断面図である。
【図４】図１に示すソケットコネクタの係止部材を含む細部構造を相手側接続対象物との間で接続した後の状態として示したもので、（ａ）は部分拡大断面図に関するもの，（ｂ）は係止部材の外観構成を一部破断して示した斜視図に関するものである。
【符号の説明】
【００２７】
１０  コンタクト
１１  接触部
１２  バネ部
１３，２３  固定部
１４，２４  端子部
２０  係止部材
２１  係止接触部
２２  突出接触部
３０  インシュレータ
３１  収容部
４０  シェル
５０，６０  接続対象物
５１  第１の電極
５２  被係止部
５３ａ  第２の電極
５３ｂ  第３の電極
６１，６２  端子接続パターン
１００  ソケットコネクタ
【図１】
2007194120.tif 000003
【図２】
2007194120.tif 000004
【図３】
2007194120.tif 000005
【図４】
2007194120.tif 000006